(57)【特許請求の範囲】
【請求項１】
電源につながる少なくとも２本の配線ケーブルを接続する電源接続部と、負荷につながる少なくとも２本の配線ケーブルを接続する負荷接続部と、第１の三路スイッチにつながる３本の配線ケーブルを接続する第１の三路スイッチ接続部と、第２の三路スイッチにつながる３本の配線ケーブルを接続する第２の三路スイッチ接続部と、四路スイッチにつながる２本の配線ケーブルを接続する第１の四路スイッチ接続部と、前記四路スイッチにつながる別の２本の配線ケーブルを接続する第２の四路スイッチ接続部とを器体に備え、
前記各接続部間に、前記第１，第２の三路スイッチ又は四路スイッチの操作により前記電源と負荷との間を開閉する配線回路を形成し、
前記電源接続部が第１，第２電源接続端子を、
前記負荷接続部が第１，第２負荷接続端子を、
前記第１の三路スイッチ接続部が第１乃至第３三路スイッチ接続端子を、
前記第２の三路スイッチ接続部が第４乃至第６三路スイッチ接続端子を、
前記第１の四路スイッチ接続部が第１，第２四路スイッチ接続端子を、
前記第２の四路スイッチ接続部が第３，第４四路スイッチ接続端子を、それぞれ備えた配線器具において、
前記配線回路を、下記（イ）乃至（ト）の接続金具により形成したことを特徴とする配線器具。
（イ）前記第１電源接続端子と前記第１三路スイッチ接続端子とを電気的に接続する接続金具
（ロ）前記第２電源接続端子と前記第２負荷接続端子とを電気的に接続する接続金具
（ハ）前記第２三路スイッチ接続端子と前記第２四路スイッチ接続端子とを電気的に接続する接続金具
（ニ）前記第３三路スイッチ接続端子と前記第１四路スイッチ接続端子とを電気的に接続する接続金具
（ホ）前記第１負荷接続端子と前記第４三路スイッチ接続端子とを電気的に接続する接続金具
（ヘ）前記第５三路スイッチ接続端子と前記第４四路スイッチ接続端子とを電気的に接続する接続金具
（ト）前記第６三路スイッチ接続端子と前記第３四路スイッチ接続端子とを電気的に接続する接続金具
【請求項２】
請求項１記載の配線器具において、
前記電源接続部、第１の三路スイッチ接続部、及び第１の四路スイッチ接続部を前記器体の一方の側部に並べて形成するとともに、
前記負荷接続部、第２の三路スイッチ接続部、及び第２の四路スイッチ接続部を前記器体の他方の側部に並べて形成し、
かつ前記電源接続部と負荷接続部、前記第１の三路スイッチ接続部と第２の三路スイッチ接続部、及び前記第１の四路スイッチ接続部と第２の四路スイッチ接続部を、それぞれ対称位置に形成したことを特徴とする配線器具。
【請求項３】
請求項２記載の配線器具において、
前記（イ）、（ハ）、（ホ）、及び（ヘ）の各接続金具を同一形状に形成するとともに、前記（ニ）及び（ト）の接続金具を同一形状に形成したことを特徴とする配線器具。
【請求項４】
請求項１乃至３のいずれか一項に記載の配線器具において、
前記電源接続部及び負荷接続部にそれぞれ接地用の接続端子を設けるとともに、これら接地用の接続端子を接地用接続金具により電気的に接続したことを特徴とする配線器具
【請求項５】
請求項４記載の配線器具において、
前記接地用接続金具を、前記（ロ）の接続金具と同一形状に形成したことを特徴とする配線器具。
【発明の詳細な説明】
【０００１】
【発明の属する技術分野】
この発明は、電源、負荷、三路スイッチ、及び四路スイッチの分岐点に設けられ、電源と負荷との間を三路スイッチ及び四路スイッチによって開閉可能な屋内配線を形成するための配線器具に関する。
【０００２】
【従来の技術】
屋内配線の分岐点に設けられる配線器具は、一般にジョイントボックスと称され、電源、負荷、及びスイッチをこのジョイントボックスに接続するだけで所望の屋内配線を容易に施工できるため、近年、屋内配線工事に広く普及してきている。
すなわち、配線器具（ジョイントボックス）には、あらかじめ用途に応じた配線回路が組み込まれており、電源、負荷、及びスイッチ間の接続配線が、配線器具の内部で実現できる構造となっている。
【０００３】
【発明が解決しようとする課題】
さて、屋内の各所で照明などの負荷をＯＮ／ＯＦＦするためには、図１０に示すように、電源１０１と負荷１０２との間に、三路スイッチ１０３，１０４及び四路スイッチ１０５を用いた屋内配線を形成する必要がある。この種の屋内配線（以下、「各所操作用配線」ということもある）は周知であるが、従来の配線器具（ジョイントボックス）には、この三路スイッチ及び四路スイッチを組み合わせてなる各所操作用配線を形成できる構成のものが提案されていなかった。
【０００４】
これは、従来の配線器具（ジョイントボックス）は、屋内の各部屋ごとの配線を管理するように開発・設計されていることに起因するものと思われるが、いずれにしてもこの種の各所操作用配線に対応した配線器具（ジョイントボックス）があれば、いっそう施工作業が容易となることは間違いない。
この発明は、このような事情に鑑みてなされたもので、電源と負荷との間を三路スイッチ及び四路スイッチによって開閉可能な屋内配線を容易に施工することができる配線器具の提供を目的とする。
【０００５】
【課題を解決するための手段】
図９はこの発明に係る配線器具の回路構成例を示す図である。同図を参照してこの発明の構成を説明する。
すなわち、この発明の配線器具は、上記目的を達成するために、電源１０１につながる少なくとも２本の配線ケーブルを接続する電源接続部１と、負荷１０２につながる少なくとも２本の配線ケーブルを接続する負荷接続部２と、第１の三路スイッチ１０３につながる３本の配線ケーブルを接続する第１の三路スイッチ接続部３と、第２の三路スイッチ１０４につながる３本の配線ケーブルを接続する第２の三路スイッチ接続部４と、四路スイッチ１０５につながる２本の配線ケーブルを接続する第１の四路スイッチ接続部５と、四路スイッチ１０５につながる別の２本の配線ケーブルを接続する第２の四路スイッチ接続部６とを器体に備え、各接続部１〜６間に、第１，第２の三路スイッチ１０３，１０４又は四路スイッチ１０５の操作により電源１０１と負荷１０２との間を開閉する配線回路を形成した構成としてある。
【０００６】
上記各接続部には、例えば、次のような接続端子が設けてある。
（１）電源接続部１に、第１，第２電源接続端子１ａ，１ｂ
（２）負荷接続部２に、第１，第２負荷接続端子２ａ，２ｂ
（３）第１の三路スイッチ接続部３に、第１乃至第３三路スイッチ接続端子３ａ，３ｂ，３ｃ
（４）第２の三路スイッチ接続部４に、第４乃至第６三路スイッチ接続端子４ａ，４ｂ，４ｃ
（５）第１の四路スイッチ接続部５に、第１，第２四路スイッチ接続端子５ａ，５ｂ
（６）第２の四路スイッチ接続部６に、第３，第４四路スイッチ接続端子６ａ，６ｂ
【０００７】
そして、上記配線回路は、例えば、次の各接続金具により形成することができる。
（イ）第１電源接続端子１ａと第１三路スイッチ接続端子３ａとを電気的に接続する接続金具１１
（ロ）第２電源接続端子１ｂと第２負荷接続端子２ｂとを電気的に接続する接続金具１２
（ハ）第２三路スイッチ接続端子３ｂと第２四路スイッチ接続端子５ｂとを電気的に接続する接続金具１３
（ニ）第３三路スイッチ接続端子３ｃと第１四路スイッチ接続端子５ａとを電気的に接続する接続金具１４
（ホ）第１負荷接続端子２ａと第４三路スイッチ接続端子４ａとを電気的に接続する接続金具１５
（ヘ）第５三路スイッチ接続端子４ｂと第４四路スイッチ接続端子６ｂとを電気的に接続する接続金具１６
（ト）第６三路スイッチ接続端子４ｃと第３四路スイッチ接続端子６ａとを電気的に接続する接続金具１７
【０００８】
この構成により、第１，第２の三路スイッチ接続部３，４に接続した各三路スイッチ１０３，１０４、又は第１，第２の四路スイッチ接続部５，６に接続した四路スイッチ１０５の操作をもって、電源１０１と負荷１０２との間を開閉することが可能となる。
【０００９】
ここで、電源接続部１、第１の三路スイッチ接続部３、及び第１の四路スイッチ接続部５は、器体の一方の側部に並べて形成するとともに、負荷接続部２、第２の三路スイッチ接続部４、及び第２の四路スイッチ接続部６は、器体の他方の側部に並べて形成することが好ましい。さらに、電源接続部１と負荷接続部２、第１の三路スイッチ接続部３と第２の三路スイッチ接続部４、及び第１の四路スイッチ接続部５と第２の四路スイッチ接続部６は、それぞれ対称位置に形成することが好ましい。
【００１０】
このように各接続部を配置することにより、上記（イ）、（ハ）、（ホ）、及び（ヘ）の各接続金具１１，１３，１５，１６を同一形状とすることができ、また上記（ニ）及び（ト）の接続金具１４，１７も同一形状とすることができる。したがって、接続金具の共通化を図り部品点数の削減、ひいては製品コストの低価格化を実現できる。
【００１１】
なお、電源接続部１及び負荷接続部２にそれぞれ接地用の接続端子１ｃ，２ｃを設けるとともに、これら接地用の接続端子１ｃ，２ｃを接地用接続金具１８により電気的に接続してもよい。この場合、接地用接続金具１８は、上記（ロ）の接続金具１２と同一形状とすれば、部品点数を削減することができる。
【００１２】
【発明の実施の形態】
以下、この発明の実施の形態について図面を参照して詳細に説明する。
図１はこの発明の実施形態に係る配線器具の分解斜視図、図２は同じく平面図、図３は図２の矢視Ａ−Ａ線図、図４はカバー部材を取り外した状態の平面図、図５は図２のＢ−Ｂ線断面図、図６は図２の矢視Ｃ−Ｃ線図、図７は図２のＤ−Ｄ線断面図である。なお、これらの図面において、先に示した図９と同一部分又は相当する部分には同一符号を付してある。
【００１３】
図１に示すように、この実施形態の配線器具は、ケース２１とカバー部材２２とで器体２０を構成しており、その器体２０の内部に絶縁部材３０及び接続金具１１〜１８を備えている。
ケース２１は、上面または底面（図では上面）が開口した薄形の筐体構造となっており、対向する両側面の各三箇所に電線挿入窓２３が形成してある。ケース２１の内部には、絶縁部材３０の組込空間２４が、中央のリブ２５を境界として各側面寄りに別れて形成してある。このケース２１は、可塑性樹脂材料で一体成形してあるので、外力に対して柔軟性を有し、後述するカバー部材２２を装着したときにも過大な内部応力を生じることがなく、また落下等に伴う衝撃力にも強く破損等のおそれが少ない。
【００１４】
絶縁部材３０は、同一形状のものを一組（２個）用意する。これらの絶縁部材３０は、絶縁性の熱硬化性樹脂材料によって一体成形してある。絶縁部材３０には、ケース２１の電線挿入窓２３と対応する三箇所に嵌合凸部３１が形成してある。各嵌合凸部３１は、ケース２１の片面に形成された電線挿入窓２３にそれぞれ嵌合する寸法形状としてある。これら嵌合凸部３１には、それぞれ三個の電線挿入孔３２が並べて設けてある。
【００１５】
そして、各電線挿入孔３２の内側開口部から連続した部分には、後述する各接続金具の１１〜１８の速結端子部ｂ，ｃをがたつきなく配置するための速結端子配置部３３が形成してある。各速結端子配置部３３の間は、絶縁壁３４によって仕切られている。
【００１６】
一組の絶縁部材３０は、ケース２１のそれぞれの組込空間２４へ対称に装着する。このとき、絶縁部材３０の嵌合凸部３１をケース２１の電線挿入窓２３に嵌め込み、嵌合凸部３１に設けた電線挿入孔３２が、ケース２１の両側面にそれぞれ開口するようにする（図５，図６参照）。
【００１７】
この実施形態では、各接続金具１１〜１８によって、図９に示した配線回路を器体２０内に構成する。
このうち接続金具１１，１３，１５，１６は同一形状をしており、帯状の接続架橋部ａと、この接続架橋部ａの両端から段差をつけて延出する速結端子部ｂ，ｃとを有している。また、接続金具１４，１７も同一形状をしており、帯状の接続架橋部ａと、この接続架橋部ａの両端から段差をつけて延出する速結端子部ｂ，ｃとを有している。
これら各接続金具１１，１３，１５，１６及び接続金具１４，１７は、例えばプレス加工機を用いて、金属板を打ち抜いた後、段差部及び速結端子部ｂ，ｃを折曲げ加工することにより、各部を一体成形してある。
【００１８】
接続金具１２，１８も同一形状をしており、帯状の接続架橋部ａと、この接続架橋部ａの両端から延出する速結端子部ｂ，ｃとを有している。接続金具１２，１８には接続架橋部ａに段差を設けておらず、器体２０に組み込んだとき、同接続架橋部ａが接続金具１１，１５の接続架橋部ａと交差して配置できるようにしてある。
これら接続金具１２，１８も、例えばプレス加工機を用いて、金属板を打ち抜いた後、速結端子部ｂ，ｃを折曲げ加工することにより、各部を一体成形してある。
【００１９】
さて、ケース２１へ対称に組み込む一組の絶縁部材３０は、既述したように同一形状のものを使用して、生産コストの低減を図ると共に生産性の向上を図っている。このように、同一形状の絶縁部材を対称に組み込む結果、速結端子部ｂ，ｃを配置するための速結端子配置部３３はそれぞれ逆向となる。
そこで、特に接続金具１２，１８は、一方の絶縁部材３０の速結端子配置部３３に配置する速結端子部ｂと、他方の絶縁部材３０の速結端子配置部３３に配置する速結端子部ｃとが、それぞれ逆向きとなるように成形してある。
【００２０】
各接続金具１１〜１８の速結端子部ｂ，ｃには電線の押えばね１９が挿入され、この押えばね１９と速結端子部ｂ，ｃの天井面との間で電線を挾持する構造となっている。このように押えばね１９が挿入された各接続金具１１〜１８の速結端子部ｂ，ｃは、図９に示した配線回路に対応して、絶縁部材３０に形成した所定の速結端子配置部３３に配置する。この配置状態で、各速結端子部ｂ，ｃの側端面（電線挿入のため開口している）は、絶縁部材３０の電線挿入孔３２と対面する。
【００２１】
接続金具１１〜１８の速結端子部ｂ，ｃが配置された速結端子配置部３３は、図４に示すように、それぞれ図９に示した配線回路における接続部１〜６を形成する。
【００２２】
速結端子配置部３３に配置された接続金具１１〜１８の速結端子部ｂ，ｃと、図９に示した配線回路における接続端子との相互関係をまとめると、次のようになる（図９、図４参照）。すなわち、
（ａ）接続金具１１の速結端子部ｂは、第１電源接続端子１ａを形成する。
（ｂ）接続金具１１の速結端子部ｃは、第１三路スイッチ接続端子３ａを形成する。
（ｃ）接続金具１２の速結端子部ｂは、第２電源接続端子１ｂを形成する。
（ｄ）接続金具１２の速結端子部ｃは、第２負荷接続端子２ｂを形成する。
（ｅ）接続金具１３の速結端子部ｂは、第２三路スイッチ接続端子３ｂを形成する。
（ｆ）接続金具１３の速結端子部ｃは、第２四路スイッチ接続端子５ｂを形成する。
（ｇ）接続金具１４の速結端子部ｂは、第３三路スイッチ接続端子３ｃを形成する。
（ｈ）接続金具１４の速結端子部ｃは、第１四路スイッチ接続端子５ａを形成する。
（ｉ）接続金具１５の速結端子部ｂは、第１負荷接続端子２ａを形成する。
（ｊ）接続金具１５の速結端子部ｃは、第４三路スイッチ接続端子４ａを形成する。
（ｋ）接続金具１６の速結端子部ｂは、第５三路スイッチ接続端子４ｂを形成する。
（ｌ）接続金具１６の速結端子部ｃは、第４四路スイッチ接続端子６ｂを形成する。
（ｍ）接続金具１７の速結端子部ｂは、第６三路スイッチ接続端子４ｃを形成する。
（ｎ）接続金具１７の速結端子部ｃは、第３四路スイッチ接続端子６ａを形成する。
（ｏ）接続金具１８の速結端子部ｂは、接地用の接続端子１ｃを形成する。
（ｐ）接続金具１８の速結端子部ｃは、接地用の接続端子２ｃを形成する。
【００２３】
カバー部材２２は、熱硬化性の樹脂材料で形成してあり、ケース２１の開口を閉塞するようにしてケース２１に締結あるいはかしめられる。このカバー部材２２には、内部に形成される接続部１〜６（図４参照）に対応して、スライド案内孔２６が形成してある。
【００２４】
各スライド案内孔２６には、それぞれ一組の対称な形状のスライド部材２７が摺動自在に装着してある。
各スライド部材２７の一端には、図７に示すように屈曲形状のばね状部２７ａが延出しており、このばね状部２７ａをカバー部材２２の下面に形成したリブに係合させてある。これにより、一組のスライド部材２７は付勢され、スライド案内孔２６の中央部で互いに当接する。また、各スライド部材２７の下部には、上記当接面側が低く、ばね状部の延出端方向に向かって徐々に高くなっていく勾配面２７ｂが形成してある。
【００２５】
そして、一組のスライド部材２７とこれに対向する速結端子部ｂ，ｃとの間の空間には、それぞれ解除部材２８が設けてある。解除部材２８の上部には、スライド部材２７に形成した勾配面２７ｂと逆向きの勾配面２８ａが形成してあり、これらの勾配面２７ｂ，２８ａを互いに摺接させてある。
さらに、解除部材２８の下部には、速結端子部ｂ，ｃに配設した押えばね１９と対面する三箇所の部位に押圧突起２８ｂが形成してあり、これらの押圧突起２８ｂが押えばね１９の挾持端と接触している。
【００２６】
次に、上述した構成の配線器具の組立方法について説明する。
まず、ケース２１内の組込空間に各絶縁部材３０を装着する。このとき、絶縁部材３０の嵌合凸部３１をケース２１の電線挿入窓２３に嵌め込み、嵌合凸部３１に設けた電線挿入孔３２が、ケース２１の両側面にそれぞれ開口するようにする（図５，図６参照）。
【００２７】
続いて、構成すべき配線回路（図９）を参照して、絶縁部材３０の速結端子配置部３３…に、各接続金具１１〜１８の速結端子部ｂ，ｃをそれぞれ配置する。次いで、速結端子部ｂ，ｃに配設した押えばね１９の上に解除部材２８の押圧突起２８ｂを配置する。一方、カバー部材２２のスライド案内孔２６には、一組のスライド部材２７を嵌め込んでおく。
【００２８】
そして、スライド部材２７の勾配面２７ｂを解除部材２８の勾配面２８ａに摺接させた状態で、カバー部材２２をケース２１の開口部分に装着する。カバー部材２２の装着は、ねじによる締結やかしめ手段によって行なうが、このとき、ケース２１に反りがあっても、ケース２１は可塑性樹脂材料で成形してあるので柔軟に対応し、過大な内部応力の発生を防止でき、破損のおそれがない。
【００２９】
配線器具は、例えば屋内の天井裏などに固定され、図８に示すように、電源１０１、負荷１０２、第１，第２の三路スイッチ１０３，１０４、及び四路スイッチ１０５から導かれてきた電線（配線ケーブル）を所定の電線挿入孔３２に差し込むだけで、ケース２１内に構成した配線回路（図９）にしたがった接続状態を形成することができる。
【００３０】
ここで、図９に示すように、第１の三路スイッチ１０３のコモン端子１０３ａにつながる電線は、第１三路スイッチ接続端子３ａを形成する速結端子部と連通する電線挿入孔３２に挿入する。また、第１の三路スイッチ１０３の固定接点１０３ｂ，１０３ｃは、第２，第３三路スイッチ接続端子３ｂ，３ｃを形成する速結端子部と連通する電線挿入孔３２に挿入する。
【００３１】
一方、第２の三路スイッチ１０４のコモン端子１０４ａにつながる電線は、第４三路スイッチ接続端子４ａを形成する速結端子部と連通する電線挿入孔３２に挿入する。また、第２の三路スイッチ１０４の固定接点１０４ｂ，１０４ｃは、第５，第６三路スイッチ接続端子４ｂ，４ｃを形成する速結端子部と連通する電線挿入孔３２に挿入する。
【００３２】
電線挿入孔３２に差し込まれた電線は、速結端子部ｂ，ｃの天井面と押えばね１９の挾持端との間に挾持固定される（図５参照）。これにより速結端子部ｂ，ｃとの電気的接続状態が形成され、その結果、各接続金具１１〜１８で形成した配線回路に沿った屋内配線を容易に実現することができる。
【００３３】
速結端子部ｂ，ｃに挾持固定してある電線を取り外すときは、図７に示すように、カバー部材２２に設けた一組のスライド部材２７の境界部に、マイナスドライバなどの工具Ｔを差し込み、続いて回転させるだけでよい。
すなわち、工具Ｔの回転によって各スライド部材２７が拡開する方向に摺動する。この動作に伴いスライド部材２７の勾配面２７ｂが、解除部材２８の勾配面２８ａを押えばね１９の方向に押圧し、その押圧力によって解除部材２８が押し込まれ、押えばね１９の挾持端を変形させる。これにより、速結端子部ｂ，ｃの天井面と押えばね１９の挾持端とによる電線の挾持状態が解除されるので、電線を電線挿入孔３２から引き抜くことができる。
【００３４】
この電線の取り外しは、電線挿入孔３２と離れた部位（カバー部材２２の表面）に設けてあるスライド部材２７に対しての作業となるので、差し込まれた電線に煩わされることなく、容易かつ迅速に行なうことができる。また、カバー部材２２側を表面にした状態で屋内の壁面などに固定すれば、スライド部材２７と対面して電線の取外し作業を行なうことができ、一層作業が容易となる。
【００３５】
なお、この発明は上述した実施の形態に限定されるものではなく、特許請求の範囲に記載された発明の技術的範囲内で、種々の変形または応用が可能である。例えば、第１，第２の四路スイッチ接続部５，６には、複数の四路スイッチを直列に接続することもできる。
【００３６】
【発明の効果】
以上説明したように、この発明の配線器具によれば、電源と負荷との間を三路スイッチ及び四路スイッチによって開閉可能な屋内配線を容易に施工することができる。
【図面の簡単な説明】
【図１】この発明の実施形態に係る配線器具の分解斜視図である。
【図２】同じく平面図である。
【図３】図２の矢視Ａ−Ａ線図である。
【図４】カバー部材を取外した状態の平面図である。
【図５】図２のＢ−Ｂ線断面図である。
【図６】図２の矢視Ｃ−Ｃ線図である。
【図７】図２のＤ−Ｄ線断面図である。
【図８】電源、負荷、三路スイッチ、及び四路スイッチの接続関係を示す平面図である。
【図９】本発明に係る配線器具により構成される配線回路を示す図である。
【図１０】電源と負荷との間を三路スイッチ及び四路スイッチによって開閉可能な屋内配線の例を示す図である。
【符号の説明】
１：電源接続部
１ａ：第１電源接続端子    １ｂ：第２電源接続端子
２：負荷接続部
２ａ：第１負荷接続端子    ２ｂ：第２負荷接続端子
３：第１の三路スイッチ接続部
３ａ：第１三路スイッチ接続端子
３ｂ：第２三路スイッチ接続端子
３ｃ：第３三路スイッチ接続端子
４：第２の三路スイッチ接続部
４ａ：第４三路スイッチ接続端子
４ｂ：第５三路スイッチ接続端子
４ｃ：第６三路スイッチ接続端子
５：第１の四路スイッチ接続部
５ａ：第１四路スイッチ接続端子
５ｂ：第２四路スイッチ接続端子
６：第２の四路スイッチ接続部
６ａ：第３四路スイッチ接続端子
６ｂ：第４四路スイッチ接続端子
１１〜１８：接続金具
１９：押えばね          ２０：器体
２１：ケース            ２２：カバー部材
２３：電線挿入窓        ２４：組込空間
２５：リブ              ２６：スライド案内孔
２７：スライド部材      ２８：解除部材
３０：絶縁部材          ３１：嵌合凸部
３２：電線挿入孔        ３３：速結端子配置部
３４：絶縁壁
【図１】
0004293479.tif 000002
【図２】
0004293479.tif 000003
【図３】
0004293479.tif 000004
【図４】
0004293479.tif 000005
【図５】
0004293479.tif 000006
【図６】
0004293479.tif 000007
【図７】
0004293479.tif 000008
【図８】
0004293479.tif 000009
【図９】
0004293479.tif 000010
【図１０】
0004293479.tif 000011